(57)【要約】【課題】ゴルフボールマーカとお守り袋を組み合わせることによって、プレイヤーに対し、パッティングの際には、ボールを狙い通りにホールに入れることができるという自信を持たせ、また、コースを回っている間中、ボールが当たるなどのけがをしないという安心感を与える。【解決手段】ゴルフボールマーカ４を取り外し可能に保持したお守り袋１であって、磁石が備えられた袋体２と、袋体２に設けられた、お守り袋１の取り付け部３と、を備える。袋体２には、磁性体からなるゴルフボールマーカ４が取り外し可能に保持される。【選択図】図１
0003156555.tif 000002
【実用新案登録請求の範囲】
【請求項１】
ゴルフボールマーカを取り外し可能に保持したお守り袋であって、
磁石が備えられた袋体と、
前記袋体に設けられた、前記お守り袋の取り付け部と、を備え、
前記袋体に、磁性体からなるゴルフボールマーカが取り外し可能に保持されたものであることを特徴とするお守り袋。
【請求項２】
前記磁石は、前記袋体の外面に取り付けられ、
前記磁石に、前記ゴルフボールマーカが取り外し可能に保持されたものであることを特徴とする請求項１に記載のお守り袋。
【請求項３】
前記磁石は、前記袋体に収納され、
前記袋体の外面に、前記ゴルフボールマーカが取り外し可能に保持されたものであることを特徴とする請求項１に記載のお守り袋。
【請求項４】
ゴルフボールマーカを取り外し可能に保持したお守り袋であって、
磁性体の板が備えられた袋体と、
前記袋体に設けられた、前記お守り袋の取り付け部と、を備え、
前記袋体に、磁石を備えたゴルフボールマーカが取り外し可能に保持されたものであることを特徴とするお守り袋。
【請求項５】
前記磁性体の板は、前記袋体の外面に取り付けられ、
前記磁性体の板に、前記ゴルフボールマーカが取り外し可能に保持されたものであることを特徴とする請求項４に記載のお守り袋。
【請求項６】
前記磁性体の板は、前記袋体に収納され、
前記袋体の外面に、前記ゴルフボールマーカが取り外し可能に保持されたものであることを特徴とする請求項４に記載のお守り袋。
【請求項７】
前記袋体の外面に設けられたティー保持部を備え、
前記ティー保持部に、ティーが取り外し可能に保持されたものであることを特徴とする請求項１〜６のいずれかに記載のお守り袋。
【請求項８】
前記取り付け部は、ループ形状の紐、またはクリップ、またはシール、またはボタンであることを特徴とする請求項１〜７のいずれかに記載のお守り袋。
【考案の詳細な説明】
【技術分野】
【０００１】
本考案はゴルフボールマーカを取り外し可能に保持したお守り袋に関するものである。
【背景技術】
【０００２】
一般的に、日本では、スポーツの試合などの勝負事に臨むとき、プレイヤーがお守り袋を所持し、自分の勝ちやプレー中の安全を神頼みすることで、心理的な安心感を得る習慣がある。
ゴルフは、コースを回りながらホール毎に、ティーグランドからゴルフボールを順次打ち、最終的にグリーンのホールにゴルフボールを入れるまでのストローク数を競うものである。そして、この場合、グリーン上で行われるパッティングは、特に集中力が要求される。
また、パッティングの際には、ゴルフボールの位置に目印をつけるために、コイン形状あるいは画鋲形状などを有するゴルフボールマーカが使用される。ゴルフボールマーカは、プレイヤーに常に携帯されるものであり、衣服のポケットに収納されたり、帽子やクラブに取り付けられたりする。
【考案の概要】
【考案が解決しようとする課題】
【０００３】
本考案の課題は、ゴルフボールマーカとお守り袋を組み合わせることによって、プレイヤーに対し、パッティングの際には、ゴルフボールを狙い通りにホールに入れることができるという自信を持たせ、また、コースを回っている間中、ボールが当たるなどのけがをしないという安心感を与えることにある。
【課題を解決するための手段】
【０００４】
上記課題を解決するため、本考案は、ゴルフボールマーカを取り外し可能に保持したお守り袋であって、磁石が備えられた袋体と、前記袋体に設けられた、前記お守り袋の取り付け部と、を備え、前記袋体に、磁性体からなるゴルフボールマーカが取り外し可能に保持されたものであることを特徴とするお守り袋を構成したものである。
上記構成において、前記磁石は、前記袋体の外面に取り付けられ、前記磁石に、前記ゴルフボールマーカが取り外し可能に保持されたものであること、あるいは、前記磁石は、前記袋体に収納され、前記袋体の外面に、前記ゴルフボールマーカが取り外し可能に保持されたものであることが好ましい。
【０００５】
また、上記課題を解決するため、本考案は、ゴルフボールマーカを取り外し可能に保持したお守り袋であって、磁性体の板が備えられた袋体と、前記袋体に設けられた、前記お守り袋の取り付け部と、を備え、前記袋体に、磁石を備えたゴルフボールマーカが取り外し可能に保持されたものであることを特徴とするお守り袋を構成したものである。
上記構成において、前記磁性体の板は、前記袋体の外面に取り付けられ、前記磁性体の板に、前記ゴルフボールマーカが取り外し可能に保持されたものであること、あるいは、前記磁性体の板は、前記袋体に収納され、前記袋体の外面に、前記ゴルフボールマーカが取り外し可能に保持されたものであることが好ましい。
【０００６】
さらに、上記構成において、前記袋体の外面に設けられたティー保持部をさらに備え、前記ティー保持部に、ティーが取り外し可能に保持されたものであることが好ましい。また、前記取り付け部は、ループ形状の紐、またはクリップ、またはシール、またはボタンであることが好ましい。
【考案の効果】
【０００７】
本考案によれば、プレイヤーがコースを回る間に常に携帯するゴルフボールマーカを、磁力を利用してお守り袋に取り外し可能に保持するようにしたので、プレイヤーは、パッティングの際には、ゴルフボールをできるだけ少ない打数で確実にホールに入れることができるという自信を得ることができ、さらには、けが等をすることなく安全にゴルフプレーを行うことができるという安心感を得ることができる。
【図面の簡単な説明】
【０００８】
【図１】本考案の、第１実施例による、ゴルフボールマーカを取り外し可能に保持したお守り袋を説明する図であり、（ａ）はお守り袋の正面図、（ｂ）はゴルフボールマーカの斜視図、（ｃ）はゴルフボールマーカを保持したお守り袋の背面図、（ｄ）は（ｃ）のＸ−Ｘ’線に沿った断面図である。
【図２】第１実施例の変形例を説明する図であり、（ａ）はお守り袋の背面図、（ｂ）は（ａ）のＸ−Ｘ’線に沿った断面図である。
【図３】第２実施例による、ゴルフボールマーカを取り外し可能に保持したお守り袋を説明する図であり、（ａ）はお守り袋の背面図、（ｂ）は（ａ）のＸ−Ｘ’線に沿った断面図である。
【図４】第２実施例の変形例を説明する図であり、（ａ）はお守り袋の背面図、（ｂ）は（ａ）のＸ−Ｘ’線に沿った断面図である。
【図５】第３実施例による、ゴルフボールマーカを取り外し可能に保持したお守り袋の背面図である。
【図６】第４実施例による、ゴルフボールマーカを取り外し可能に保持したお守り袋を説明する図であり、（ａ）および（ｂ）はお守り袋の側面図である。
【考案を実施するための形態】
【０００９】
以下、本考案の好ましい実施例について図面を参照しながら説明する。
【００１０】
（第１実施例）
図１は、本考案の第１実施例による、ゴルフボールマーカを取り外し可能に保持したお守り袋を説明する図であり、（ａ）はお守り袋の正面図、（ｂ）はゴルフボールマーカの斜視図、（ｃ）はゴルフボールマーカを保持したお守り袋の背面図、（ｄ）は（ｃ）のＸ−Ｘ’線に沿った断面図である。
図１（ａ）に示すように、お守り袋１は、袋体２と、お守り袋１の取り付け部３とを備える。袋体２および取り付け部３は、この実施例では布製であるが、袋体２および取り付け部３の材質は、布に限定されず、合皮あるいはその他の公知の材質からなっていてもよい。取り付け部３は、この実施例ではループ形状の紐からなり、お守り袋１を、プレイヤーの衣服、ベルト、あるいはゴルフバッグなどに吊り下げるために使用される。この場合、取り付け部３は、ループ形状の紐に限定されず、クリップ、またはシール、またはボタンであってもよい。また、ループ形状の紐（取り付け部）３は、この実施例では袋体２の上部に設けられるが、袋体２の任意の位置に設けられてもよい。お守り袋１の外面には、パッティングの自信をより高めるための言葉や絵、あるいはプレー中の安全祈願のための言葉や絵などが表示されていることが好ましい。
図１（ｂ）に示すように、ゴルフボールマーカ４は、コイン形状であって、鉄などの磁性体からなっている。この場合、ゴルフボールマーカ４は、コイン形状に限定されず、画鋲形状、多角柱形状、あるいはその他の任意の形状であってもよい。ゴルフボールマーカ４の外面には、パッティングの自信をより高めるための言葉や絵などが表示されていることが好ましい。
図１（ｃ）および（ｄ）に示すように、袋体２の外面には、円盤形状の磁石５が取り付けられる。プレイヤーが磁石５からゴルフボールマーカ４を簡単に取り外しできるように、磁石５の径は、ゴルフボールマーカ４の径よりも小さいほうが好ましい。また、磁石５の形状は、円盤形状に限定されず、平板形状であればどのような形状であってもよい。こうして、ゴルフボールマーカ４は、磁力によって磁石５に取り外し可能に保持される。なお、お守り袋１の内部には、一般的に、御魂または護符などの内容物６が収納されている。
なお、ゴルフボールマーカをお守り袋に取り外し可能に保持するための構成は、これに限定されず、例えば、粘着力を利用してゴルフボールマーカをお守り袋に取り外し可能に保持するなどの方法が用いられる。
【００１１】
次に、本考案のお守り袋の使用方法を説明する。
プレイヤーは、ゴルフの試合に臨むとき、お守り袋を、ループ形状の紐を介してベルト、あるいは衣服などに吊り下げる。そして、ゴルフボールマーカを使用しない場合、プレイヤーは、ゴルフボールマーカをお守り袋に保持させておく。グリーン上においてゴルフボールマーカを使用する場合、プレイヤーは、ゴルフボールマーカを、お守り袋から手で簡単に取り外して使用することができる。
ゴルフボールマーカを使用しないときはそれをお守り袋に保持できるため、プレイヤーは、ゴルフボールマーカを紛失しにくくなる。また、お守り袋がベルトや衣服の一定位置に取り付けられているので、プレイヤーは、ゴルフボールマーカをその都度探したりするなどの無駄な動作をしなくてもよい。さらに、プレイヤーは、常にゴルフボールマーカとお守り袋を携帯しているため、パッティングの際にゴルフボールをできるだけ少ない打数で確実にホールに入れることができるという自信を得ることができ、さらには、けが等をすることなく安全にゴルフプレーを行うことができるという安心感をもって、プレーに臨むことができる。
【００１２】
（変形例）
図２は、第１実施例の変形例を説明する図であり、（ａ）はお守り袋の背面図、（ｂ）は（ａ）のＸ−Ｘ’線に沿った断面図である。この変形例は、磁石の備えられる位置のみが第１実施例と異なる。
図２（ａ）および（ｂ）に示すように、袋体２の内部には、平板形状の磁石７が収納される。こうして、ゴルフボールマーカ４は、磁力によって袋体２に取り外し可能に保持される。
この場合も、上記実施例と同じ効果が得られることは言うまでもない。
【００１３】
（第２実施例）
図３は、第２実施例による、ゴルフボールマーカを取り外し可能に保持したお守り袋を説明する図であり、（ａ）はお守り袋の背面図、（ｂ）は（ａ）のＸ−Ｘ’線に沿った断面図である。第２実施例は、磁石の代わりに磁性体の板が袋体に備えられる点、および、ゴルフボールマーカの構造のみが第１実施例と異なる。
図３（ａ）に示すように、袋体２の外面には、円盤形状の磁性体の板８が取り付けられる。
図３（ｂ）に示すように、ゴルフボールマーカ９は、ゴルフボールマーカ本体１０と、本体１０に内蔵された磁石１１とから構成される。プレイヤーが磁性体の板８からゴルフボールマーカ９を簡単に取り外しできるように、磁性体の板８の径は、ゴルフボールマーカ９の径よりも小さいほうが好ましい。また、磁性体の板８の形状は、円盤形状に限定されず、平板形状であればどのような形状であってもよい。こうして、ゴルフボールマーカ９は、磁力によって磁性体の板８に取り外し可能に保持される。
この場合も、上記実施例と同じ効果が得られることは言うまでもない。
【００１４】
（変形例）
図４は、第２実施例の変形例を説明する図であり、（ａ）はお守り袋の背面図、（ｂ）は（ａ）のＸ−Ｘ’線に沿った断面図である。この変形例は、磁性体の板の備えられる位置のみが第２実施例と異なる。
図４（ａ）および（ｂ）に示すように、袋体２の内部には、平板形状の磁性体の板１２が収納される。こうして、ゴルフボールマーカ９は、磁力によって袋体２に取り外し可能に保持される。
この場合も、上記実施例と同じ効果が得られることは言うまでもない。
【００１５】
（第３実施例）
図５は、第３実施例による、ゴルフボールマーカを取り外し可能に保持したお守り袋の背面図である。第３実施例は、袋体にティーを取り外し可能に保持するティー保持部が、さらに設けられている点のみが第１実施例と異なる。
図５に示すように、お守り袋１は、袋体２の外面に設けられた円筒状のティー保持部１３を備えている。そして、ティー保持部１３にティー１４が差し込まれて、取り外し可能に保持される。ティー保持部１３の構成は、これに限定されるものではなく、ティー１４を取り外し可能に保持できるものであれば、どのような構成であってもよい。
この場合も、上記実施例と同じ効果が得られることは言うまでもない。
【００１６】
（第４実施例）
図６は、第４実施例による、ゴルフボールマーカを取り外し可能に保持したお守り袋を説明する図であり、（ａ）および（ｂ）はお守り袋の側面図である。第４実施例は、取り付け部の構造が第１実施例と異なる。
図６（ａ）に示すように、取り付け部は屈曲型クリップ１５からなる。図６（ｂ）に示すように、取り付け部は洗濯ばさみ型クリップ１６からなる。
この実施例においては、プレイヤーは、お守り袋を、クリップ１５、１６を介してベルトあるいは衣服のポケットの縁などに固定して使用する。
【符号の説明】
【００１７】
１  お守り袋
２  袋体
３  取り付け部
４  ゴルフボールマーカ
５  磁石
６  内容物
７  磁石
８  磁性体の板
９  ゴルフボールマーカ
１０  ゴルフボールマーカ本体
１１  磁石
１２  磁性体の板
１３  ティー保持部
１４  ティー
１５  屈曲型クリップ
１６  洗濯ばさみ型クリップ
【図１】
0003156555.tif 000003
【図２】
0003156555.tif 000004
【図３】
0003156555.tif 000005
【図４】
0003156555.tif 000006
【図５】
0003156555.tif 000007
【図６】
0003156555.tif 000008